(57)【特許請求の範囲】
【請求項１】
筐体と、該筐体前面部に設けられた電源スイッチと、前記筐体内部に設けられた電源部と、前記筐体表面に設けられ、前記筐体外部から供給される電源ケーブルのプラグ受け部と着脱可能に接続されるインレットコネクタと、前記インレットコネクタを収容するための移設ポートを有するラベルプリンタにおいて、前記移設ポートは前記筐体外部に別体として設けられ、前記移設ポート及び前記筐体は互いの内部に通じるための内通孔を形成し、
前記筐体には前記移設ポートと接する面に筐体側孔を形成し、前記移設ポートは前記筐体と接する面にポート側孔を形成するとともに、前記筐体と接しない面に前記電源ケーブルを外部へ送出するための外部孔を形成していること、を特徴とするラベルプリンタ。
【請求項２】
前記移設ポートは前記筐体に対して任意の位置に取付け可能であり、前記筐体側孔は前記移設ポートの位置に応じて任意の位置に形成すること、を特徴とする請求項１記載のラベルプリンタ。
【発明の詳細な説明】
【技術分野】
【０００１】
この発明は、ラベルプリンタに電力を供給する電源ケーブルの接続部分となるインレットコネクタを移設ポート内に設けたラベルプリンタに関する。
【背景技術】
【０００２】
従来のラベルプリンタは、外観上の美観や操作性を保つためユーザーから見える部位に操作部や表示部が配置されており、その面積的制限のためラベルプリンタの背面側に電源や通信等に用いるケーブルが配置されていた。
【０００３】
図４乃至図６を用いて従来のラベルプリンタについて説明する。
図４はラベルプリンタ１の正面Ｆの斜視図である。
ラベルプリンタ１は上カバー３と下カバー４とからなる筐体２に覆われており、筐体２の前面Ｆにはラベルプリンタ１の印字動作を操作するためのテンキー６と、テンキー６の操作結果が表示されるＬＣＤ５が設けられ、印字動作により所定の情報が印字された印字用紙８がラベルプリンタ１の外部へ排出されるための排出口７が形成されている。
【０００４】
図５は図４に示すラベルプリンタ１の背面Ｂの斜視図である。
背面Ｂにはラベルプリンタ１に必要な電力を供給するための電源プラグ８を有するインレットコネクタ９が設けられ、電源プラグ８には電源ケーブル１３のプラグ受け部１２が挿し込まれることにより電力が供給される。
【０００５】
なお、ラベルプリンタ１は通常の感熱方式のプリンタ及びインクリボンを用いた熱転写プリンタと印字動作において格別差異はない。
【０００６】
図６は図４に示すラベルプリンタ１のＩ−Ｉ方向の断面図である。
筐体２の内部には制御部１０と電源部１１が格納されており、電源プラグ８からは筐体２内部において制御部１０と電源部１１を介して内部ケーブル１４が電源スイッチ１５と連結されている。
したがって、電源スイッチ１５をＯＮ／ＯＦＦとすることにより、ラベルプリンタ１を起動若しくは停止する。
【０００７】
このようなラベルプリンタ１においてはラベルプリンタ１の背面部Ｂと設置壁面との間に電源ケーブル１３にあるプラグ受け部１２を電源プラグ８に差し込むためのスペースを確保する必要がある。
【０００８】
また、特許文献１のようにインレットコネクトをプリンタの底面部に設けるものも考えられるが、コネクト部が外部へ露出しているため上記と同様にインレットコネクタと、プリンタと接する床面との間に一定の空間を設ける必要があった。
【０００９】
このような構成においては、インレットコネクタが外部へ露出しているため埃が溜りやすく、接続不良による動作不具合や電気火災の原因となるため危険であった。
【先行技術文献】
【特許文献】
【００１０】
【特許文献１】特開２００７−２３２７６５号公報
【発明の概要】
【発明が解決しようとする課題】
【００１１】
本発明は上記の課題に鑑みてなされたもので、とくに電源ケーブルの挿し込み部とインレットコネクタを、ラベルプリンタの筐体から分離した移設ポート内に設けることによって、筐体と壁面との間に余分な空間を設ける必要のないラベルプリンタを提供することを目的とする。
【課題を解決するための手段】
【００１２】
上記の課題を解決するため本発明は、筐体と、該筐体前面部に設けられた電源スイッチと、上記筐体内部に設けられた電源部と、上記筐体表面に設けられ、上記筐体外部から供給される電源ケーブルの挿し込み部と着脱可能に接続されるインレットコネクタと、上記インレットコネクタを収容するための移設ポートを有するラベルプリンタにおいて、上記移設ポートは上記筐体外部に別体として設けられ、上記移設ポート及び上記筐体は互いに内部で内通するための内通孔を形成していること、を特徴とするラベルプリンタに存する。
また、上記筐体には上記移設ポートと接する面に筐体側孔を形成し、上記移設ポートは上記筐体と接する面にポート側孔を形成するとともに、上記筐体と接しない面に上記電源ケーブルを外部へ送出するための外部孔を形成していること、を特徴とするラベルプリンタに存する。
また、上記移設ポートは上記筐体に対して任意の位置に取付け可能であり、上記筐体側孔は上記移設ポートの位置に応じて任意の位置に形成すること、を特徴とするラベルプリンタに存する。
【発明の効果】
【００１３】
本発明によれば、インレットコネクタをラベルプリンタの筐体と別体となる移設ポート内にインレットコネクタを設けることによって、筐体と壁面との間に余分な空間を設ける必要がなく、ラベルプリンタを限られたスペースに効率的に設置することが出来る。
【００１４】
また、インレットコネクタを移設ポート内部に設けることによって、インレットコネクタに埃が溜まることによって生じる動作不良や電気火災を防止することが出来る。
【図面の簡単な説明】
【００１５】
【図１】ラベルプリンタ１の側面断面図である。
【図２】ラベルプリンタ１の上視図である。
【図３】移設ポート１７の斜視図である。
【図４】従来のラベルプリンタ１の外観斜視図である。
【図５】同背面斜視図である。
【図６】同側面断面図である。
【発明を実施するための形態】
【００１６】
図１乃至図３に基づいて本発明となるラベルプリンタについて説明する。
図１はラベルプリンタ１の概略断面図であり、図２はラベルプリンタ１の上視図であり、図３は後述の移設ポート１７の斜視図である。
なお、従来技術と重複する構成についてはその詳細を省略するものとし、同一の符号を用いて説明する。
【００１７】
ラベルプリンタ１は、筐体２の上面側に箱状の移設ポート１７が筐体２とは別体に設けられている。移設ポート１７はネジなど任意の固定具により筐体２に仮固定されており、移設ポート１７と筐体２とが当接する面には、内通孔１８が形成されている。
【００１８】
内通孔１８は、移設ポート１７の筐体２と接する面に形成されたポート側孔１９と、筐体２上面の移設ポート１７に接する面に形成された筐体側孔２０とから構成される。
【００１９】
筐体側孔２０はラベルプリンタ１の筐体に任意の位置に形成され、例えば図２に示すように筐体２の上面部に、移設ポート１７の配置箇所と同じ位置に形成される。
【００２０】
すなわち、ポート側孔１９と筐体側孔２０とが一致するように、筐体２に対して移設ポート１７を配置することによって、移設ポート１７と筐体２とに内通孔１８が構成され、ラベルプリンタ１内部に配線されている内部ケーブル１４と電源ケーブル１３とを接続するインレットコネクタ９を移設ポート１７内部へ収容可能となる。
【００２１】
移設ポート１７は、蓋体２がヒンジ２３を中心に回動可能となっている。
したがって、ユーザーは移設ポート１７の蓋体２を開けることによって移設ポート１７の内部で電源ケーブル１３と内部ケーブル１４とを接続する作業を行うことが出来る。すなわち、蓋体２を開けることでユーザーは電源ケーブル１３と内部ケーブル１４との接続部分となるインレットコネクタ９を容易に目視することが出来る。
【００２２】
また、移設ポート１７の筐体２と接しない面即ち外部と接する面には、外部孔２１が形成されている。したがって、移設ポート１７内部に配線された電源ケーブル１３の挿し込み部２２は外部孔２１を介して移設ポート１７の外部へ送出することが出来る。
【００２３】
即ち、移設ポート１７を筐体側孔２０に対応する位置に取り付けることによって、それぞれの取り付け位置に内通孔１８が形成される。ラベルプリンタ１内部に配線された電源ケーブル１３の挿し込み部２２は、内通孔１８を介して移設ポート１７の内部を通り、さらに移設ポート１７内部より外部孔２１を介して挿し込み部２２が外部へ送出される。
【００２４】
なお、本実施例の特に図２では移設ポート１７の位置をラベルプリンタ１の上面部かつ前面部Ｆ近傍の正面視右側に設置しているが、移設ポート１７は当該位置に限定して設けられるものではなく、本発明の範囲内において任意の位置に設置することが出来る。
【００２５】
以上の構成により、インレットコネクタ９を移設ポート内部に設けることによって、移設ポート１７の位置に応じてインレットコネクタ９と挿し込み部２２をラベルプリンタ１の上部に設けた移設ポート１７から送出することが出来るので、ラベルプリンタ１とその接する面との間にインレットコネクタ９のためのスペースを確保する必要がなくなり、ケーブルの接続箇所もユーザーの目に付き易くなるため埃による火災やラベルプリンタ１の動作不良を未然に防止することが出来る。
【００２６】
また、ラベルプリンタ１の設置面積が減るので効率的にラベルプリンタ１を配置することができる。
【符号の説明】
【００２７】
１          ラベルプリンタ
２          筐体
３          上カバー
４          下カバー
５          ＬＣＤ
６          テンキー
７          排出口
８          電源プラグ
９          インレットコネクタ
１０        制御部
１１        電源部
１２        プラグ受け部
１３        電源ケーブル
１４        内部ケーブル
１５        外部ケーブル
１７        移設ポート
１８        内通孔
１９        ポート側孔
２０        筐体側孔
２１        外部孔
２２        蓋体
２３        挿し込み部
【図１】
0005875385.tif 000002
【図２】
0005875385.tif 000003
【図３】
0005875385.tif 000004
【図４】
0005875385.tif 000005
【図５】
0005875385.tif 000006
【図６】
0005875385.tif 000007